(57)【要約】【課題】ユーザの利便性を向上するとともに、利用も対する興味を増大させること。【解決手段】ネットワークで接続されたＰＣ２００に対して画像データを管理して表示するファイルサーバ１００は、前記画像データを、前記画像データの分類を示すギャラリーごとに記憶する共有ストレージ１２０と、ギャラリーを示す建造物３Ｄ画像を、ギャラリーに分類される画像データに基づいて異なる表示形態でＰＣ２００の表示画面に３次元描画表示するギャラリー表示処理部１１０と、を備えた。【選択図】図２
2010282328.tif 000002
【特許請求の範囲】
【請求項１】
ネットワークで接続されたクライアント端末に対して画像データを管理して表示する情報管理装置であって、
前記画像データを、前記画像データの分類を示すカテゴリごとに記憶する記憶手段と、
前記カテゴリを示す建造物表示情報を、前記カテゴリに分類される画像データに基づいて異なる表示形態で前記クライアント端末の画面に３次元描画表示するカテゴリ表示処理手段と、
を備えたことを特徴とする情報管理装置。
【請求項２】
前記カテゴリ表示処理手段は、前記カテゴリに分類される画像データの数により表示サイズが異なる前記建造物表示情報を前記クライアント端末の画面に３次元描画表示することを特徴とする請求項１に記載の情報管理装置。
【請求項３】
前記カテゴリ表示処理手段は、前記カテゴリに分類される画像データの数により前記建造物表示情報を遠近表示手法で前記クライアント端末の画面に３次元描画表示することを特徴とする請求項１または２に記載の情報管理装置。
【請求項４】
前記カテゴリ表示処理手段は、前記カテゴリが示す内容により前記建造物表示情報を異なる形状で前記クライアント端末の画面に３次元描画表示することを特徴とする請求項１または２に記載の情報管理装置。
【請求項５】
前記カテゴリに含まれる複数の画像データを、３次元描画表示する画像表示処理手段をさらに備えたことを特徴とする請求項１〜４のいずれか一つに記載の情報管理装置。
【請求項６】
前記画像表示処理手段は、前記複数の画像データの表示角度を変えて、前記複数の画像データを前記クライアント端末の画面に３次元描画表示することを特徴とする請求項５に記載の情報管理装置。
【請求項７】
前記画像表示処理手段は、前記画像データに基づいて、前記画像データにフレームを付して前記クライアント端末の画面に表示することを特徴とする請求項１〜６のいずれか一つに記載の情報管理装置。
【請求項８】
前記画像表示処理手段は、前記画像データに前記画像データの明度に応じた異なる色彩のフレームを付して前記クライアント端末の画面に表示することを特徴とする請求項７に記載の情報管理装置。
【請求項９】
前記画像表示処理手段は、前記画像データに基づいて、前記画像データの背景を付して前記クライアント端末の画面に表示することを特徴とする請求項１〜８のいずれか一つに記載の情報管理装置。
【請求項１０】
前記画像表示処理手段は、前記画像データに前記画像データの明度に応じて異なる明度の背景を付して前記クライアント端末の画面に表示することを特徴とする請求項９に記載の情報管理装置。
【請求項１１】
前記クライアント端末により前記画像データの人気度を登録する登録手段をさらに備え、
前記画像表示処理手段は、前記画像データを、前記画像データに対して登録された前記人気度に応じて異なる表示形態で前記クライアント端末の画面に表示することを特徴とする請求項１〜１０のいずれか一つに記載の情報管理装置。
【請求項１２】
前記画像表示処理手段は、前記画像データを、前記画像データに付与された前記人気度が高い程大きなサイズで前記クライアント端末の画面に表示することを特徴とする請求項１１に記載の情報管理装置。
【請求項１３】
前記クライアント端末の要求を受けて、前記記憶手段に保存されている建造物表示情報または画像データを前記クライアント端末に送信し、前記クライアント端末から、送信した建造物表示情報または画像データから前記クライアント端末で編集された建造物表示情報または画像データを受信する通信手段と、
前記編集された建造物表示情報または画像データを、編集前の元の建造物表示情報または画像データと関連付けて前記記憶手段に保存する管理手段と、
を備えたことを特徴とする請求項１に記載の情報管理装置。
【請求項１４】
前記記憶手段は、さらに、ユーザごとに、前記ユーザの前記カテゴリにアクセス可能な許可ユーザを登録したユーザ管理情報を記憶し、
前記カテゴリ表示処理手段は、さらに、前記カテゴリを示す建造物表示情報を、前記カテゴリに分類される前記許可ユーザの画像データに基づいて異なる表示形態で前記クライアント端末の画面に３次元描画表示することを特徴とする請求項１に記載の情報管理装置。
【請求項１５】
前記カテゴリに含まれる複数の画像データを、前記カテゴリに含まれる前記許可ユーザの画像データに基づいて３次元描画表示する画像表示処理手段
をさらに備えたことを特徴とする請求項１４に記載の情報管理装置。
【請求項１６】
前記許可ユーザにより前記画像データの人気度を登録する登録手段をさらに備え、
前記画像表示処理手段は、前記画像データを、前記画像データに対して登録された前記許可ユーザによる前記人気度に応じて異なる表示形態で前記クライアント端末の画面に表示することを特徴とする請求項１５に記載の情報管理装置。
【請求項１７】
画像データを前記画像データの分類を示すカテゴリごとに保存して管理する情報管理装置にネットワークで接続可能な情報処理装置であって、
表示対象の画像データまたは前記カテゴリを示す建造物表示情報である表示画像データを前記情報管理装置から受信する受信手段と、
利用者による表示形態の変更指示を受け付ける入力手段と、
前記情報管理装置との接続の有無にかかわらず、受信した表示画像データを、前記変更指示に基づいて変更した表示形態で３次元描画表示する表示手段と、
前記情報処理装置が前記情報管理装置と接続された場合に、前記変更した表示形態の表示画像データを前記情報管理装置に送信する送信手段と、
を備えたことを特徴とする情報処理装置。
【請求項１８】
ネットワークで接続されたクライアント端末に対して画像データを管理して表示する情報管理装置で実行される情報表示方法であって、
前記情報管理装置は、前記画像データを、前記画像データの分類を示すカテゴリごとに記憶する記憶手段を備え、
カテゴリ表示処理手段が、前記カテゴリを示す建造物表示情報を、前記カテゴリに分類される画像データに基づいて異なる表示形態で前記クライアント端末の画面に３次元描画表示するカテゴリ表示処理ステップ、
を含むことを特徴とする情報表示方法。
【請求項１９】
ネットワークで接続されたクライアント端末に対して画像データを管理して表示するコンピュータを、
前記画像データを、前記画像データの分類を示すカテゴリごとに記憶する記憶手段と、
前記カテゴリを示す建造物表示情報を、前記カテゴリに分類される画像データに基づいて異なる表示形態で前記クライアント端末の画面に３次元描画表示するカテゴリ表示処理手段と、
して機能させるためのプログラム。
【発明の詳細な説明】
【技術分野】
【０００１】
本発明は、情報管理装置、情報処理装置、情報表示方法およびプログラムに関する。
【背景技術】
【０００２】
従来から、クライアント端末としてのＰＣ（Ｐｅｒｓｏｎａｌ  Ｃｏｍｐｕｔｅｒ）からネットワーク上の共有ストレージに画像データを保存して管理し、共有ストレージに保存された画像データの内容をＰＣで表示可能とする画像ストレージサービス等の技術が一般的に知られている。
【０００３】
このような技術では、多数の画像データを共有ストレージに保存する場合、画像データを撮像日時や場所などのカテゴリに分類して保存しておき、カテゴリごとにアルバム形式で表示する等により、多数の画像データの管理を的確に行うことを実現している。このような従来技術では、ユーザは、分類されたフォルダや分類ごとに作成されたアルバムの代表画像などにより、所望の画像データが分類されているカテゴリを把握することができる。
【発明の概要】
【発明が解決しようとする課題】
【０００４】
しかしながら、このような従来技術では、カテゴリを判別する際に、そのカテゴリに分類される画像データの内容や量などを十分把握することができないため、誤ったカテゴリ選択を行ってしまう場合があり、ユーザの利便性に欠けるという問題がある。
【０００５】
また、画像データのカテゴリをフォルダや代表画像等のみで表示する手法では、表示方法が単調であり、ユーザが画像ストレージサービスの利用に対する興味を喪失し、画像ストレージサービスの広範な利用を図ることができないという問題がある。
【０００６】
一方、仮想３次元空間で各種情報を表示してユーザに対する興味を向上させる従来技術は存在するが（例えば、特許文献１、２参照）、画像ストレージサービス等の技術に単に仮想３次元空間を利用してもユーザは必ずしも満足しない。
【０００７】
本発明は、上記に鑑みてなされたものであって、ユーザの利便性を向上するとともに、利用も対する興味を増大させることができる情報管理装置、情報処理装置、情報表示方法およびプログラムを提供することを目的とする。
【課題を解決するための手段】
【０００８】
上述した課題を解決し、目的を達成するために、本発明にかかる情報管理装置は、ネットワークで接続されたクライアント端末に対して画像データを管理して表示する情報管理装置であって、前記画像データを、前記画像データの分類を示すカテゴリごとに記憶する記憶手段と、前記カテゴリを示す建造物表示情報を、前記カテゴリに分類される画像データに基づいて異なる表示形態で前記クライアント端末の画面に３次元描画表示するカテゴリ表示手段と、を備えたことを特徴とする。
【０００９】
また、本発明にかかる情報表示方法は、ネットワークで接続されたクライアント端末に対して画像データを管理して表示する情報管理装置で実行される情報表示方法であって、前記情報管理装置は、前記画像データを、前記画像データの分類を示すカテゴリごとに記憶する記憶手段を備え、カテゴリ表示手段が、前記カテゴリを示す建造物表示情報を、前記カテゴリに分類される画像データに基づいて異なる表示形態で前記クライアント端末の画面に３次元描画表示するカテゴリ表示ステップを含むことを特徴とする。
【００１０】
また、本発明にかかるプログラムは、ネットワークで接続されたクライアント端末に対して画像データを管理して表示するコンピュータを、前記画像データを、前記画像データの分類を示すカテゴリごとに記憶する記憶手段と、前記カテゴリを示す建造物表示情報を、前記カテゴリに分類される画像データに基づいて異なる表示形態で前記クライアント端末の画面に３次元描画表示するカテゴリ表示手段と、して機能させる。
【発明の効果】
【００１１】
本発明によれば、カテゴリを示す建造物表示情報を、カテゴリに分類される画像データに基づいて異なる表示形態でクライアント端末の画面に３次元描画表示することで、ユーザの利便性を向上するとともに、利用に対する興味を増大させることができるという効果を奏する。
【図面の簡単な説明】
【００１２】
【図１】図１は、実施の形態１にかかる画像管理システムのネットワーク構成を示す説明図である。
【図２】図２は、実施の形態１のファイルサーバの機能的構成を示すブロック図である。
【図３】図３は、実施の形態１のギャラリー管理テーブルの一例を示す説明図である。
【図４】図４は、実施の形態１の画像管理テーブルの一例を示す説明図である。
【図５】図５は、実施の形態１の情報表示の全体処理の手順を示すフローチャートである。
【図６】図６は、実施の形態１のギャラリー表示処理の手順を示すフローチャートである。
【図７】図７は、建造物の表示例を示す図である。
【図８】図８は、著名な建造物の表示例を示す図である。
【図９】図９は、著名な建造物の表示例を示す図である。
【図１０】図１０は、著名な建造物の表示例を示す図である。
【図１１】図１１は、登録数に応じてサイズが変化する建造物の表示例を示す図である。
【図１２】図１２は、カテゴリに応じて形状が異なる建造物の表示例を示す図である。
【図１３】図１３は、遠近法で複数の建造物を表示した例を示す図である。
【図１４】図１４は、建造物を俯瞰した表示例を示す図である。
【図１５】図１５は、建造物のエントランスの表示例を示す図である。
【図１６】図１６は、建造物のエントランス入場時の表示例を示す図である。
【図１７】図１７は、建造物の内部の全体の表示例を示す図である。
【図１８】図１８は、建造物の内部の表示例を示す図である。
【図１９】図１９は、建造物の内部の表示例を示す図である。
【図２０】図２０は、建造物内部の部屋の表示例を示す模式図である。
【図２１】図２１は、画像表示処理の手順を示すフローチャートである。
【図２２】図２２は、画像表示処理の手順を示すフローチャート（図２１の続き）である。
【図２３】図２３は、複数の画像データをすべて平面的に配置した従来の表示例を示す図である。
【図２４】図２４は、複数の画像データを立体表示した例を示す図である。
【図２５】図２５は、複数の画像データを立体表示した他の例を示す図である。
【図２６】図２６は、画像データの明度が高い場合の壁面の例を示す図である。
【図２７】図２７は、画像データの明度が低い場合の壁面の例を示す図である。
【図２８】図２８は、フレームを付した画像データの表示例を示す図である。
【図２９】図２９は、フレームを付した画像データの他の表示例を示す図である。
【図３０】図３０は、掛け軸の中に画像データを表示した例を示す図である。
【図３１】図３１は、複数の画像データを立体表示した例を示す図である。
【図３２】図３２は、人気度により画像データを縮小した表示例を示す図である。
【図３３】図３３は、人気度により画像データを拡大した表示例を示す図である。
【図３４】図３４は、ファイルサーバの設置場所の時間帯に応じてギャラリー内部の明るさを変化させて表示した例を示す図である。
【図３５】図３５は、ギャラリー内部あるいは外部に音声オブジェクトを表示した例を示す図である。
【図３６】図３６は、実施の形態２のファイルサーバの機能的構成を示すブロック図である。
【図３７】図３７は、実施の形態２のギャラリー管理テーブルの一例を示す説明図である。
【図３８】図３８は、実施の形態２の画像管理テーブルの一例を示す説明図である。
【図３９】図３９は、実施の形態２のＰＣの機能的構成を示すブロック図である。
【図４０】図４０は、実施の形態２のＰＣよる画像編集処理の手順を示すフローチャートである。
【図４１】図４１は、実施の形態３のファイルサーバの機能的構成を示すブロック図である。
【図４２】図４２は、実施の形態３のユーザ管理データベースの一例を示す説明図である。
【図４３】図４３は、実施の形態３のギャラリー表示処理の手順を示すフローチャートである。
【図４４】図４４は、画像表示処理の手順を示すフローチャートである。
【図４５】図４５は、画像表示処理の手順を示すフローチャート（図４４の続き）である。
【発明を実施するための形態】
【００１３】
以下に添付図面を参照して、この発明にかかる情報管理装置、情報処理装置、情報表示方法およびプログラムの最良な実施の形態を詳細に説明する。
【００１４】
（実施の形態１）
図１は、実施の形態１にかかる画像管理システムのネットワーク構成を示す説明図である。本実施の形態では、インターネット等のネットワークにファイルサーバ１００と、クライアント端末としての複数のＰＣ２００が接続されている。
【００１５】
ファイルサーバ１００は、ハードディスクドライブ装置（ＨＤＤ）等の記憶媒体である共有ストレージ１２０を備えている。この共有ストレージ１２０は、複数のＰＣ２００から共有アクセス可能となっており、ＰＣ２００からファイルサーバ１００を介して画像データが保存される。ファイルサーバ１００は、この共有ストレージ１２０に保存されている画像データを管理するとともに、ＰＣ２００に対する表示を制御する。
【００１６】
また、ＰＣ２００は、ハードディスクドライブ装置（ＨＤＤ）を備えている。このＨＤＤには、ファイルサーバ１００の共有ストレージ１２０にアップロードする画像データや、共有ストレージ１２０からダウンロードした画像データが保存される。また、ユーザが共有ストレージ１２０に保存されている画像データをＰＣ２００で表示する際に共有ストレージ１２０から表示対象の画像データがダウンロードされて一時的にＨＤＤ２０１に保存される。
【００１７】
図２は、実施の形態１のファイルサーバ１００の機能的構成を示すブロック図である。ファイルサーバ１００は、図２に示すように、入力制御部１０１と、ＨＴＴＰ通信部１０２と、進行表示処理部１０３と、管理部１０４と、登録部１０５と、ギャラリー表示処理部１１０と、画像表示処理部１３０と、共有ストレージ１２０とを主に備えている。
【００１８】
ＨＴＴＰ通信部１０２は、ＰＣ２００とのＨＴＴＰプロトコルによる通信を制御する。入力制御部１０１は、ＰＣ２００からのＨＴＴＰ通信部１０２を介した入力を制御する。管理部１０４は、共有ストレージ１２０に保存されている複数の画像データの編集、削除等や画像データの分類であるギャラリーの生成、編集、削除等を制御する。管理部１０４は、ＰＣ２００からのログオン情報を入力した場合、ログオンを受け付けてユーザ管理データベース（不図示）等を参照してユーザ認証処理を行う。
【００１９】
図２に示すように、共有ストレージ１２０には、複数のギャラリー画像と、複数の画像データと、ギャラリー管理テーブル１２１と、画像管理テーブル１２２が保存される。
【００２０】
複数の画像データは、ユーザがＰＣ２００からネットワークを介して共有ストレージ１２０に保存され、ユーザごとに管理される。
【００２１】
ギャラリー画像は、ユーザごとの画像データを分類したギャラリーをＰＣ２００に表示するための画像であり、ＰＣ２００からのユーザの指示によって、管理部１０４により生成される。本実施の形態では、ギャラリー画像として建造物を３次元で表した建造物３Ｄ画像を用いている。
【００２２】
ギャラリー管理テーブル１２１は、ギャラリーとそのギャラリー画像とを対応付けて管理するためのテーブルである。図３は、ギャラリー管理テーブルの一例を示す説明図である。図３に示すように、ギャラリー管理テーブル１２１は、ギャラリー示すカテゴリと、ギャラリー画像である建造物３Ｄ画像のファイル名と、ギャラリーに対するユーザの最終アクセス日時が対応付けて登録されている。図３の例では、ギャラリーのカテゴリごとに異なる建造物３Ｄ画像が割り当てられている。
【００２３】
図２に戻り、画像管理テーブル１２２は、画像データとその属性等とを対応付けて管理するためのテーブルである。図４は、画像管理テーブル１２２の一例を示す説明図である。図４に示すように、画像管理テーブル１２２は、画像データを一意に識別するためのＩＤと、画像データのファイル名と、画像データに対するユーザ投票の結果としての人気度と、画像データを表示する際の属性である表示属性とが対応付けて登録されている。
【００２４】
ここで、表示属性において、立体表示は、３つの画像データを組み合わせて立体表示することを示す属性であり、立体表示（ＩＤ１，ＩＤ２）の形式で表す。ここで、（ＩＤ１，ＩＤ２）は、ＩＤ１の画像データとＩＤ２の画像データと組み合わせて立体表示することを意味し、図４の例では、ＩＤ＝１、ＩＤ＝２、ＩＤ＝３の３つの画像データが組み合わせて立体表示されることを示している。ここで、立体表示の際に組み合わせる他の画像データのＩＤはユーザがＰＣ２００から指定する他、画像データの内容に基づいて、表示形態決定部１３１が決定することができる。
【００２５】
また、表示属性における「フレームＡ」は、画像データを表示する際に、フレームＡのフレームを画像データの周囲に付して表示することを示す属性である。この場合におけるフレームの選択は、ユーザがＰＣ２００から指定する。また、表示属性における「フレーム自動」は、画像データの周囲に付すフレームを、画像データの明度等により表示形態決定部１３１が選択することを示す属性である。
【００２６】
また、表示属性における「壁面Ｂ」は、画像データを表示する際の画像データの背景画像として壁面Ｂを用いる属性を示している。この場合における壁面の選択は、ユーザがＰＣ２００から指定する。また、表示属性における「壁面自動」は、画像データの背景画像を、画像データの明度等により表示形態決定部１３１が選択することを示す属性である。
【００２７】
図２に戻り、ギャラリー表示処理部１１０は、ファイルサーバ１００にログオンしたユーザに対して、そのユーザが所有するギャラリーを、ＨＴＴＰ通信部１０２を介してＰＣ２００の表示画面に３次元描画表示する処理を行う。ギャラリー表示処理部１１０は、表示形態決定部１１１と、画像処理部１１２と、３Ｄ描画処理部１１３とを備えている。
【００２８】
表示形態決定部１１１は、ギャラリー管理テーブル１２１を参照して、ギャラリーの建造物３Ｄ画像の表示形態を決定する。具体的には、表示形態決定部１１１は、ギャラリー管理テーブル１２１を参照して、ユーザが共有ストレージ１２０上で所有するギャラリーに対応する建造物３Ｄ画像を、当該ギャラリーのギャラリー画像として決定する。図３に示すように、ギャラリーのカテゴリにより異なる建造物３Ｄ画像が割り当てられているので、ＰＣ２００には、ギャラリーのカテゴリに応じて異なる建造物が表示されることになる。
【００２９】
また、表示形態決定部１１１は、ギャラリーに登録されている画像データの数を、ギャラリーに対応するフォルダに格納されている画像データの数、やギャラリーに対するタグが付与されている画像データの数などから求め、ギャラリーに対する画像データの登録数が多い程、建造物３Ｄ画像の表示サイズを大きいサイズとして決定する。なお、この他、表示形態決定部１１１は、画像データの登録数が多くなるに従って、建造物が建築中から完成段階までの各段階の画像に割り当てるように決定してもよい。
【００３０】
さらに、表示形態決定部１１１は、ギャラリー管理テーブル１２１の最終アクセス日時を参照して、最終アクセス日時が古いギャラリー程、建造物３Ｄ画像を遠方に配置し、かつぼかし処理を施すという遠近法に従って建造物３Ｄ画像の表示形態を決定する。
【００３１】
画像処理部１１２は、表示形態が決定された建造物３Ｄ画像に対する画像処理を行う。具体的には、建造物３Ｄ画像のサイズを拡大縮小したり、ぼかし処理は配置などで遠近を表す画像処理を行う。
【００３２】
３Ｄ描画処理部１１３は、建造物３Ｄ画像の３次元描画を行う。具体的には、ユーザによるＰＣ２００の操作により、建造物３Ｄ画像を３次元的に移動させ、上下左右斜め各方向からの視点で見えるようにＰＣ２００の表示画面に描画する。
【００３３】
進行表示処理部１０３は、ユーザの指示によりギャラリーが示す建造物の内部に進入した際に、ユーザによるＰＣ２００の操作により、ギャラリーの建造物内部の進行に応じて周囲の画像を３次元描画で変化させて、ＰＣ２００を操作するユーザが、建造物の内部を進行しているように見せる表示処理を行う。
【００３４】
登録部１０５は、画像データに対するユーザ投票の結果としての人気度を画像管理テーブル１２２に登録する。具体的には、ユーザはＰＣ２００から自己のギャラリーの他、他のユーザのギャラリーに登録された画像データを表示することができるが、この際、ユーザが気に入った画像データに対してお気に入り等の指示を行うことにより、登録部１０５により、後述する画像管理テーブル１２２において、指示された画像データのＩＤに対応して人気度がカウントアップされる。
【００３５】
画像表示処理部１３０は、ギャラリーの建造物内部で、ギャラリーに登録されている画像データの３次元描画表示する。画像表示処理部１３０は、図２に示すように、表示形態決定部１３１と、画像処理部１３２と、３Ｄ描画処理部１３３とを備えている。
【００３６】
表示形態決定部１３１は、画像管理テーブル１２２を参照して、画像データの表示形態を決定する。具体的には、表示形態決定部１３１は、画像管理テーブル１２２に登録されている表示対象の画像データの表示属性を参照して、他の画像データと組み合わせて立体表示を行うか、フレームを付して表示するか、壁面を付して表示するかを決定する。
【００３７】
また、表示形態決定部１３１は、表示属性が立体表示の場合には、表示属性の立体表示で指定された他の２枚のＩＤの画像データの取得を行う。また、表示形態決定部１３１は、画像管理テーブル１２２の人気度を参照して人気度が高い程、大きな値の拡大率を決定する。
【００３８】
画像処理部１３２は、表示形態が決定された画像データに対する画像処理を行う。具体的には、画像処理部１３２は、表示属性により指定されたフレームあるいは決定されたフレームを画像データの周囲に付したり、表示属性により指定された壁面あるいは決定された壁面を画像データの背景とする画像処理を行う。また、画像処理部１３２は、表示形態決定部１３１で決定された人気度に応じた拡大率で画像データの拡大縮小処理を行う。
【００３９】
３Ｄ描画処理部１３３は、画像データの３次元描画を行う。具体的には、３Ｄ描画処理部１３３は、表示形態決定部１３１で画像データの立体表示が決定された場合、表示形態決定部１３１で決定された他の２枚の画像データの表示角度を変更し３枚の画像データの３次元描画処理を行う。
【００４０】
ここで、３Ｄ描画処理部１１３、１３３は、ファイルサーバ１００からネットワークを介してＰＣ２００の表示画面に各種データの３次元描画表示を行うが、このようなネットワークを介した３次元描画表示の手法としては公知の手法を用いればよい。例えば、Ｍｉｃｒｏｓｏｆｔ（Ｒ）社のＳｉｌｖｅｒｌｉｇｈｔ（Ｒ）や、ＷＰＦ（Ｗｉｎｄｏｗｓ  Ｐｒｅｓｅｎｔａｔｉｏｎ  Ｆｏｕｎｄａｔｉｏｎ（Ｒ）の技術を利用して各種データを生成して、ＰＣ２００の表示画面に３次元描画表示を行うように構成すればよい。
【００４１】
次に、以上のように構成された本実施の形態のファイルサーバ１００による情報表示処理について説明する。図５は、実施の形態１の情報表示の全体処理の手順を示すフローチャートである。
【００４２】
まず、管理部１０４は、ＰＣ２００からのログオンを受付け、認証処理を行う（図轍鮒Ｓ１１）。そして、ギャラリー表示処理部１１０によるギャラリー表示処理を行う（ステップＳ１２）。
【００４３】
ここで、ギャラリー表示処理について説明する。図６は、実施の形態１のギャラリー表示処理の手順を示すフローチャートである。表示形態決定部１１１は、ログオンしたユーザの全てのギャラリー画像、すなわち全ての建造物３Ｄ画像をギャラリー管理データ１２１を参照して、共有ストレージ１２０から取得する（ステップＳ３１）。そして、表示形態決定部１１１は、ユーザのギャラリーごとの画像データの登録数をカウントする（ステップＳ３２）。そして、表示形態決定部１１１は、登録数に応じた建造物３Ｄ画像の表示サイズを決定する（ステップＳ３３）。
【００４４】
また、表示形態決定部１１１は、ギャラリー管理テーブル１２１を参照してギャラリーへの最終アクセス日時を取得する（ステップＳ３４）。そして、画像処理部１１２は、最終アクセス日時の古い順にギャラリー画像（建造物３Ｄ画像）のぼかし処理を行い、また配置処理を行う（ステップＳ３５）。
【００４５】
次いで、３Ｄ描画処理部１１３は、ステップＳ３１で取得したギャラリーごとの建造物３Ｄ画像を、ステップＳ３３で決定された表示サイズで、かつステップＳ３５でぼかし処理および配置処理を施した状態で、ＰＣ２００の表示画面に３次元表示する（ステップＳ３６）。
【００４６】
これにより、ユーザがＰＣ２００からログオンすると、ユーザが所有するギャラリーの建造物３Ｄ画像は、図７に示す例のように表示される。この建造物３Ｄ画像は、予めユーザが任意に選択あるいは作成することができる。例えば、図８、図９の建造物の例に示すように、建造物３Ｄ画像として著名な建造物を用いることができる。また、図１０の建造物の例に示すように、著名な建造物を、当該建造物が実際には存在しないような場所に表示するようにしてもよい。このように自由に建造物３Ｄ画像を選択可能とすることより、有名な美術館等の建造物の中に自分の撮像画像が展示されるという疑似体験をユーザに提供することが可能となる。
【００４７】
また、複数のギャラリーをユーザが所有する場合には、ステップＳ３１で、ギャラリーごとにギャラリー管理テーブル１２１に登録された建造物３Ｄ画像を取得して表示することで、図１２に示すように、ギャラリーのカテゴリごとに異なる建造物３Ｄ画像を表示することができる。
【００４８】
また、ステップＳ３３でギャラリーへの登録画像数が多い程、建造物３Ｄ画像の表示サイズを拡大しているので、図１１に示すように、ギャラリーへの登録数を、ギャラリーに対応する建造物の大きさにより容易に把握することができる。
【００４９】
また、図１３に示すように、ステップＳ３５でギャラリーへの最終アクセス日時から長い時間が経過している程、建造物が遠方でかつぼかしが施されて表示されるので、頻繁にアクセスされるギャラリーを一見して把握することが可能となる。なお、図１３では、ぼかし処理を、一点鎖線、点線で示している。
【００５０】
このようにＰＣ２００の表示画面には、ユーザが所有するギャラリーの建造物３Ｄ画像が表示される。そして、ユーザからのＰＣ２００のマウス操作やキーボード操作を受け付けることにより、３Ｄ描画処理部１１３は、ギャラリーを示す建造物３Ｄ画像をユーザの操作に応じて種種の角度から３次元描画させる。これにより、ユーザは、自己の所有するギャラリーの建造物を種種の方向から俯瞰することができる。
【００５１】
図５に戻り、ユーザからのログオフを受け付けた場合には（ステップＳ１３：Ｙｅｓ）、処理を終了する。ユーザからのログオフを受け付けていない場合には（ステップＳ１３：Ｎｏ）、建造物のエントランスからの入場指示を受け付けたか否かを判断する（ステップＳ１４）。
【００５２】
例えば、ギャラリーの建造物には、図１４に示すように、エントランスが表示され、ユーザがＰＣ２００のマウス操作やキーボード操作を行うことにより、図１５に示すように、建造物のエントランスを正面にみえるように、３Ｄ描画処理部１１３が建造物３Ｄ画像を回転等させる。そして、ユーザがＰＣ２００におけるマウスやキーボード操作により、このエントランスに入場する指示を行った場合、これを受け付けて（ステップＳ１４：Ｙｅｓ）、進行表示処理部１０３は、ギャラリーの建造物内部に進行して周囲の画像等を３次元描画表示する処理を行う（ステップＳ１５）。
【００５３】
ユーザからエントランスへの入場指示を受け付けた場合、例えば、図１６に示すように、進行表示処理部１０３は、建造物３Ｄ画像のエントランス部分を徐々に拡大表示していき、エントランスからギャラリーの建造物内部を表示する。ここで、図１６に示す例では、エントランスの横にこのギャラリーのオーナであるユーザの氏名等を含む文字等を表示するように構成することができる。この表示は、予めユーザが建造物を選択する際にユーザが入力するように構成してもよいし、３Ｄ描画処理部１１３あるいは進行表示処理部１０３が、エントランスの表示を行う際に、ログオンしているユーザのユーザ名を取得して表示するように構成してもよい。
【００５４】
進行表示処理部１０３は、例えば、図１７に示すように、ギャラリーの建造物の内部を全体的に表示したり、図１８、図１９に示すように、ギャラリーの建造物の内部の一部分を表示する。かかる表示は、ユーザからの操作によって任意に指定することができる。
【００５５】
また、図１９に示す例では、ユーザからＰＣ２００による天井部分のルーバー１９０１のクリック操作を受け付けることで、進行表示処理部１０３は、ルーバー１９０１の傾斜角度を変更する描画表示を行うとともに、ルーバー１９０１の傾斜角度に応じてルーバー１９０１から差し込む照射光の光量を擬似的に変化させて、建造物内部の明度を変更する画像処理を行う。これにより、ユーザに所望の明るさで建造物内部を表示させることが可能となる。また、進行表示処理部１０３を、建造物内部の明度に応じて、壁面に表示する画像データの数を増減して表示するように構成することもできる。
【００５６】
また、ギャラリーのフォルダの中に階層的にサブフォルダが存在する場合には、進行表示処理部１０３、このサブフォルダをギャラリーの建造物内部の部屋に割り当てて表示することができる。図２０は、建造物内部の部屋の表示例を示す模式図である。壁で仕切られた各部屋に表示される画像データが、ギャラリーのフォルダの中にサブフォルダに登録された画像データとなる。また、図２０に示すように、進行表示処理部１０３は、各部屋の床面の色を変化して表示させることも可能である。これにより、ユーザに空間の認知を向上させることができる。以降、本実施の形態では、ギャラリーのフォルダの中にサブフォルダが存在し、このため建造物の内部に複数の部屋が存在している例をあげて説明する。
【００５７】
図５に戻り、このように進行表示処理部１０３により、ユーザの操作に従って、ギャラリーの建造物内部の進行および表示処理をおこなうが、建造物内部の部屋への進入の操作指示がユーザのＰＣ２００から受け付けた場合（ステップＳ１６：Ｙｅｓ）、画像表示処理部１３０による画像表示処理を行う。なお、部屋内を進行しながら周囲を表示する処理は、進行表示処理部１０３が行う。
【００５８】
図２１および図２２は、画像表示処理の手順を示すフローチャートである。まず、表示形態決定部１３１は、画像管理テーブル１２２から、進入した部屋に相当するサブフォルダに登録された画像データの表示属性を取得する（ステップＳ５１）。
【００５９】
そして、表示形態決定部１３１は、取得した表示属性が立体表示であるか否かを判断する（ステップＳ５２）。立体表示であれば、立体表示の旨とともに指定された２つのＩＤの画像データを共有ストレージ１２０から取得する（ステップＳ５３）。
【００６０】
そして、表示形態決定部１３１は、表示対象の画像データとステップＳ５３で取得した２つの画像データの立体的な配置を決定する（ステップＳ５４）。
【００６１】
すなわち、複数の画像データを表示する場合、従来は、図２３に示すように、複数の画像データをすべて平面的に配置して表示しており、ＰＣ２００の表示画面に全体が表示される画像データが１枚のみとなり、左右の画像データは途中で切れた状態で表示され、ユーザの利便性に欠けてしまう。
【００６２】
一方、図２４に示すように、左右の画像を折り曲げて立体表示したり、図２５に示すように、立方体の内壁面に３枚の画像データを貼付して立体表示すると、ＰＣ２００の表示画面において同じ画面領域でも横幅が端部の方が狭くなるので、図２３に示す従来の表示手法より多くの画像データを表示することができる。すなわち、図２４、図２５の例では、ＰＣ２００の表示画面に同時に３枚の画像データの全体を表示することが可能となる。
【００６３】
このため、本実施の形態の画像表示処理部１３０の表示形態決定部１３１は、表示属性が立体表示の場合には、図２４に示すように、３枚の画像データのうちユーザに指定された１枚の画像データを中心位置に配置し、当該画像データと時間的に前後の２枚の画像データを左右に表示するように決定する。そして、図２４に示すように、３Ｄ描画処理部１３３は、左右の画像データを折り曲げて表示する。あるいは、図２５に示すように、表示形態決定部１３１は、立方体の内壁面の３面に配置するように決定する。そして、３Ｄ描画処理部１３３は、３枚の画像データを３面に面付けして表示する。この場合、各画像データの面付けの位置は、予めユーザに指定させておく他、画像データの内容により表示形態決定部１３１が決定するように構成してもよい。このような図２４、２５に示す表示形態により、限られた領域の表示画面内に多数の画像データを表示することが可能となる。
【００６４】
図２１に戻り、立体表示の際の画像データの配置位置を決定したら、表示形態決定部１３１は、画像データの内容から画像データの明度を算出する（ステップＳ５５）。そして、表示形態決定部１３１は、表示属性に壁面の指定があるか否かを判断する（ステップＳ５６）。そして、壁面の指定がある場合には（ステップＳ５６：Ｙｅｓ）、さらに表示形態決定部１３１は、表示属性に壁面自動が設定されているか否かを判断する（ステップＳ５７）。表示属性に壁面自動が設定されていない場合（ステップＳ５７：Ｎｏ）、すなわち壁面画像の指定がある場合には、表示属性で設定された壁面画像を共有ストレージ１２０から選択する（ステップＳ５８）。
【００６５】
一方、ステップＳ５７で表示属性に壁面自動が設定されている場合には（ステップＳ５７：Ｙｅｓ）、ステップＳ５５で算出した明度に応じた壁面画像を選択する（ステップＳ５９）。
【００６６】
ここで、本実施の形態では、図２６に示すように、画像データの明度が所定の閾値以上高い場合には、表示形態決定部１３１は、背景を濃くした方が画像データがユーザにとって見やすいため、明度の低い壁面画像を選択する。一方、図２７に示すように、画像データの明度が所定の閾値より低い場合には、背景を薄くした方が画像データが見やすいため、表示形態決定部１３１は明度の高い壁面画像を選択する。このように本実施の形態では、画像データの明度に応じて背景となる壁面画像の明度を異ならせて表示しているので、ユーザにとってよりみやすい画像データの表示を行うことができる。
【００６７】
なお、本実施の形態では、画像データの明度の所定の閾値との大小によって、壁面画像の明度を変更しているが、これに限定されるものではなく、画像データの明度が高くなるに従って、明度の低い壁面画像を選択するように構成してもよい。
【００６８】
図２１に戻り、ステップＳ５６において、表示属性に壁面の指定がない場合には（ステップＳ５６：Ｎｏ）、ステップＳ５７からＳ５９までの処理は行われない。
【００６９】
次に、表示形態決定部１３１は、表示属性にフレームの指定があるか否かを判断する（ステップＳ６０）。そして、フレームの指定がある場合には（ステップＳ６１：Ｙｅｓ）、さらに表示形態決定部１３１は、表示属性にフレーム自動が設定されているか否かを判断する（ステップＳ６１）。表示属性にフレーム自動が設定されていない場合（ステップＳ６１：Ｎｏ）、すなわちフレーム画像の指定がある場合には、表示属性で設定されたフレーム画像を共有ストレージ１２０から選択する（ステップＳ６３）。この場合、例えば、図２８に示すように、画像データにフレームが付されて表示されることになる。このフレームは、予めユーザが任意に指定するものであり、画像データに即した所望のフレームを選択すればよい。
【００７０】
一方、ステップＳ６１で表示属性にフレーム自動が設定されている場合には（ステップＳ６１：Ｙｅｓ）、ステップＳ５５で算出した明度に応じたフレーム画像を選択する（ステップＳ６２）。
【００７１】
本実施の形態では、画像データの明度が所定の閾値以上高い場合には、表示形態決定部１３１は、フレームを濃くした方が、画像データがユーザにとって見やすいため、図２９の左の例に示すように、明度の低いフレーム画像を選択する。一方、画像データの明度が所定の閾値より低い場合には、フレームを薄くした方が、画像データが見やすいため、表示形態決定部１３１は、図２９の右の例に示すように、明度の高いフレーム画像を選択する。このように本実施の形態では、画像データの明度に応じて背景となるフレーム画像の明度を異ならせて表示しているので、ユーザにとってよりみやすい画像データの表示を行うことができる。
【００７２】
この場合も、画像データの明度が高くなるに従って、明度の低いフレーム画像を選択するように構成してもよい。また、フレームの代わりに、図３０に示すように、和風の掛け軸の中に画像データを表示するように構成することもできる。
【００７３】
なお、ステップＳ６０において、表示属性にフレームの指定がない場合には（ステップＳ６０：Ｎｏ）、ステップＳ６１からＳ６３までの処理は行われない。
【００７４】
図２１、図２２に戻り、表示形態決定部１３１は、画像管理テーブル１２２から人気度を取得する（ステップＳ７１）。そして、３Ｄ描画処理部１３３は、人気度に応じた画像データの表示サイズを決定する（ステップＳ７２）。そして、画像処理部１３２は、決定された表示サイズに画像データを拡大縮小する（ステップＳ７３）。そして、３Ｄ描画処理部１３３は、上記で決定された立体表示、壁面、フレーム、拡大縮小の設定で、画像データをＰＣ２００の表示画面に表示する（ステップＳ７４）。上記ステップＳ５１からＳ７４までの処理は、部屋に存在する全ての画像データに対して行われる（ステップＳ７５）。
【００７５】
図３１〜３３は、人気度により画像データを拡大縮小する表示例を示す模式図である。例えば、図３１に示すような３枚の画像データを立体表示されている場合に、ユーザがＰＣ２００から人気度を投票すると、ファイルサーバ１００の管理部１０４は、各ユーザから投票された人気度を集計して、画像管理テーブル１２２の人気度に反映する。表示形態決定部１３１は、この画像管理テーブル１２２に反映された人気度を参照して、３Ｄ描画処理部１３３は、上述のステップＳ７２〜Ｓ７４により画像データを拡大縮小してＰＣ２００の表示画面に表示する。人気度が所定の閾値より低い場合には、図３２に示すように、画像データが縮小されて表示される。一方、人気度が所定の閾値以上の場合には、図３３に示すように、画像データが拡大表示される。これにより、人気度により画像データが拡大縮小されて表示されるので、画像データに対する注目度を一目で把握することができ、他のユーザに自己のギャラリーの画像の閲覧の宣伝効果にもつながる。
【００７６】
このように本実施の形態では、ギャラリーを示す建造物をギャラリーに分類される画像データに基づいて異なる表示形態でＰＣ２００の表示画面に３次元描画表示しているので、ユーザの利便性を向上するとともに、共有ストレージ１２０のの利用に対する興味を増大させることができる。
【００７７】
また、本実施の形態では、ギャラリーに登録された画像データを立体表示したり、各種効果を付して表示することにより、共有ストレージ１２０の利用に対する興味を増大させることができる。
【００７８】
（変形例）
本発明は、上記実施の形態に限定されるものではなく、種種の変形例を適用することができる。例えば、ファイルサーバ１００の設置場所の時間帯に応じて、ギャラリー外部および内部の明るさを変更することができる。例えば、ファイルサーバ１００の設置場所が昼間の時間帯であれば、図３４に示すように、ギャラリー内部の明るさを高くして表示し、ファイルサーバ１００の設置場所が夜間の時間帯であれば、ギャラリー内部の明るさを高くして表示する。これにより、ＰＣ２００の設置場所にかかわらず、ファイルサーバ１００の設置場所の実際の時間に応じてギャラリー内部を閲覧することができ、より現実的な感覚で画像データの閲覧を行うことができる。
【００７９】
また、図３５に示すように、ギャラリー内部あるいは外部に、音声オブジェクト３５０１を一または複数表示し、ユーザがこの音声オブジェクト３５０１をクリック操作した場合に、音声オブジェクト３５０１に応じた音声をＰＣ２００に出力するように構成することができる。
【００８０】
この場合、音声オブジェクト３５０１のサイズ、音声オブジェクト３５０１を配置する部屋のサイズや形状によって、出力する音声を変更するように構成することができる。
【００８１】
また、ユーザがギャラリーのエントランスへの入場の指示を受け付けた場合に、訪問者を知らせる旨の鐘の音を出力するように構成してもよい。
【００８２】
これらのことにより、ユーザはギャラリー内外の３次元空間をより臨場感をもって体験することができる。
【００８３】
（実施の形態２）
実施の形態２にかかる画像管理システムは、クライアント端末であるＰＣ２００で、ファイルサーバの共有ストレージから建造物３Ｄ画像または画像データをダウロードして編集した後、ファイルサーバの共有ストレージにアップロードした場合、ファイルサーバ側で、編集された建造物３Ｄ画像または画像データを、編集前の元の建造物３Ｄ画像または画像データと別個に、かつ関連付けて管理するものである。
【００８４】
実施の形態２にかかる画像管理システムのネットワーク構成は、実施の形態１と同様である。図３６は、実施の形態２のファイルサーバ３６００の機能的構成を示すブロック図である。
【００８５】
ファイルサーバ３６００は、図３６に示すように、入力制御部１０１と、ＨＴＴＰ通信部３６０２と、進行表示処理部１０３と、管理部３６０４と、登録部１０５と、ギャラリー表示処理部１１０と、画像表示処理部１３０と、共有ストレージ１２０とを主に備えている。
【００８６】
ここで、入力制御部１０１、進行表示処理部１０３、登録部１０５、ギャラリー表示処理部１１０、画像表示処理部１３０については実施の形態１と同様の機能および構成を有している。
【００８７】
図３６に示すように、本実施の形態の共有ストレージ１２０には、複数のギャラリー画像と、複数の画像データと、ギャラリー管理テーブル３６２１と、画像管理テーブル３６２が保存される。
【００８８】
本実施の形態のギャラリー管理テーブル３６２１は、ギャラリーとそのギャラリー画像とユーザがＰＣ２００で編集したギャラリー画像とを関連付けて管理するためのテーブルである。図３７は、実施の形態２のギャラリー管理テーブルの一例を示す説明図である。図３７に示すように、ギャラリー管理テーブル３６２１は、ギャラリー示すカテゴリと、ギャラリー画像である建造物３Ｄ画像のファイル名と、ギャラリーに対するユーザの最終アクセス日時と、ユーザが編集したギャラリー画像のＩＤである関連ＩＤとが対応付けて登録されている。
【００８９】
ここで、ユーザが編集したギャラリー画像の関連ＩＤは、当該関連ＩＤが対応付けられているギャラリー画像を元の画像としてユーザが編集して生成されたギャラリー画像を一意に識別するための情報であり、ＰＣ２００で生成される。関連ＩＤは、図３７に示すような番号に限定されるものではなく、例えば、編集後のギャラリー画像のファイル名を登録するように構成してもよい。
【００９０】
図３６に戻り、画像管理テーブル３６２２は、画像データとその属性等、ユーザが編集した画像データのＩＤである関連ＩＤとを対応付けて管理するためのテーブルである。図３８は、実施の形態２の画像管理テーブル３６２２の一例を示す説明図である。図３８に示すように、画像管理テーブル３６２２は、画像データを一意に識別するためのＩＤと、画像データのファイル名と、画像データに対するユーザ投票の結果としての人気度と、画像データを表示する際の属性である表示属性と、ユーザが編集した画像データの関連ＩＤとが対応付けて登録されている。
【００９１】
ここで、ユーザが編集した画像データの関連ＩＤは、当該関連ＩＤが対応付けられている画像データを元の画像データとしてユーザが編集して生成された画像データを一意に識別するための情報であり、ＰＣ２００で生成される。関連ＩＤは、図３８に示すような番号に限定されるものではなく、例えば、編集後の画像データのファイル名を登録するように構成してもよい。
【００９２】
図３６に戻り、ＨＴＴＰ通信部３６０２は、ＰＣ２００とのＨＴＴＰプロトコルによる通信を制御し、ＰＣ２００からのダウンロード要求を受信して、指定されて建造物３Ｄ画像や画像データを共有ストレージ１２０から選択してＰＣ２００に送信することによりＰＣ２００からダウンロードさせる。また、ＨＴＴＰ通信部３６０２は、ＰＣ２００で編集され、アップロードされた建造物３Ｄ画像や画像データをそれぞれの関連ＩＤとともに受信する。
【００９３】
管理部３６０４は、実施の形態１と同様に、共有ストレージ１２０に保存されている複数の画像データの編集、削除等や画像データの分類であるギャラリーの生成、編集、削除等を制御し、ＰＣ２００からアクセスするユーザの処理を行う。本実施の形態では、さらに管理部３６０４は、ＨＴＴＰ通信部３６０２により受信した、編集された建造物３Ｄ画像や編集された画像データを共有ストレージ１２０に保存する。また、この際、管理部３６０４は、ギャラリー管理テーブル３６２１において編集前の元の建造物３Ｄ画像に、建造物３Ｄ画像のＩＤを対応付けて登録し、画像管理テーブル３６２２において編集前の元の画像データに、画像データのＩＤを対応付けて登録する。
【００９４】
次に、ＰＣ２００について説明する。図３９は、ＰＣ２００の機能的構成を示すブロック図である。ＰＣ２００は、図３９に示すように、表示装置３９０１と、入力装置３９０２と、表示制御部３９０３と、入力制御部３９０７と、３Ｄ描画処理部３９０４と、ＩＤ生成部３９０５と、通信部３９０６と、ＨＤＤ３９１０とを主に備えている。
【００９５】
表示装置３９０１は、ディスプレイ装置等の表示デバイスである。入力装置３９０２は、キーボードやマウス等の入力デバイスである。表示制御部３９０３は、表示制御部３９０１に対する各種データの表示を制御する。入力制御部３９０７は、入力装置３９０２からの入力イベント等の入力を制御する。
【００９６】
通信部３９０６は、ＨＴＴＰプロトコル等によりファイルサーバ３６００との通信を行い、この他、共有ストレージ１２０から建造物３Ｄ画像や画像データをダウンロードしたり、ＰＣ２００側で編集した建造物３Ｄ画像や画像データを共有ストレージ１２０にアップロードしたりする。
【００９７】
３Ｄ描画処理部３９０４は、共有ストレージ１２０からダウンロードした建造物３Ｄ画像や画像データをＰＣ２００側で３次元描画を行ったり、ユーザの指示によりその表示形態を編集する。
【００９８】
ここで、建造物３Ｄ画像や画像データの表示形態の編集内容としては、一例として以下のようなものがある。第１の例としては、実施の形態１で説明した図１７に示すように、ギャラリーの建造物の内部を全体的に表示したり、図１８、図１９に示すように、ギャラリーの建造物の内部の一部分を表示するように表示形態を編集する。
【００９９】
また、第２の例として、実施の形態１で説明した図１９に示すように、ユーザからＰＣ２００による天井部分のルーバー１９０１のクリック操作を受け付けることで、ルーバー１９０１の傾斜角度を変更して、ルーバー１９０１の傾斜角度に応じてルーバー１９０１から差し込む照射光の光量を擬似的に変化させて、建造物内部の明度を変更する編集処理を行う。建造物内部の明度に応じて、壁面に表示する画像データの数を増減して表示するような編集を行うこともできる。
【０１００】
また、第３の例として、実施の形態１で説明した図２０に示すように、各部屋の床面の色を変化させる編集を行うことができる。ただし、表示形態の編集内容は、これらの例に限定されるものではなく、あらゆる編集が含まれる。
【０１０１】
ＩＤ生成部３９０５は、編集された建造物３Ｄ画像や画像データのそれぞれを一意に識別するための識別情報である関連ＩＤをランダムに生成する。
【０１０２】
ＨＤＤ３９１０は、編集された建造物３Ｄ画像や画像データと関連ＩＤとを対応付けて保存する記憶媒体である。
【０１０３】
次に、以上のように構成された本実施の形態の画像管理システムによる建造物３Ｄ画像、画像データの編集処理について説明する。図４０は、実施の形態２のＰＣ２００による建造物３Ｄ画像、画像データの編集処理の手順を示すフローチャートである。
【０１０４】
ＰＣ２００では、通信部３９０６により、ユーザが指定した建造物３Ｄ画像または画像データをダウンロードする（ステップＳ１１１）。ダウンロードした建造物３Ｄ画像または画像データは、ＨＤＤ３９１０に保存される。
【０１０５】
そして、３Ｄ描画処理部３９０４は、ユーザからこれらの画像の表示形態の編集の指示があったか否かを判断する（ステップＳ１１２）。そして、表示形態の編集の指示がない場合には（ステップＳ１１２：Ｎｏ）、建造物３Ｄ画像または画像データに編集を加えずにそのまま表示装置３９０１に３次元描画表示を行う（ステップＳ１１８）。
【０１０６】
一方、表示形態の編集の指示があった場合には（ステップＳ１１２：Ｙｅｓ）、３Ｄ描画処理部３９０４は、建造物３Ｄ画像または画像データを、ユーザに指示に応じた表示形態に変更（編集）して表示装置３９０１に３次元描画表示する（ステップＳ１１３）。そして、ＩＤ生成部３９０５は、関連ＩＤを生成する（ステップＳ１１４）。
【０１０７】
次いで、３Ｄ描画処理部３９０４は、表示形態の編集後の建造物３Ｄ画像または画像データを関連ＩＤと対応づけてＨＤＤ３９１０に保存する（ステップＳ１１５）。ここで、ステップＳ１１２からＳ１１５までの処理は、ＰＣ２００がネットワークに接続されているか否かを問わずに実行される。
【０１０８】
そして、通信部３９０６は、ネットワークに接続されているか否かを判断し（ステップＳ１１６）、接続された場合に（ステップＳ１１６：Ｙｅｓ）、ＨＤＤ３９１０に保存された、表示形態の編集後の建造物３Ｄ画像または画像データを関連ＩＤとともにファイルサーバ３６００の共有ストレージ１２０にアップロードする（ステップＳ１１７）。
【０１０９】
ファイルサーバ３６００では、表示形態の編集後の建造物３Ｄ画像または画像データを関連ＩＤとその関連ＩＤをＨＴＴＰ通信部３６０２により受信して、管理部３６０４によって、表示形態の編集後の建造物３Ｄ画像または画像データを共有ストレージ１２０に保存する。また、管理部３６０４は、表示形態の編集後の建造物３Ｄ画像の関連ＩＤと編集前の元の建造物３Ｄ画像に対応付けてギャラリー管理テーブル３６２１に登録する。また、管理部３６０４は、表示形態の編集後の画像データの関連ＩＤと編集前の元の画像データに対応付けて画像管理テーブル３６２２に登録する。
【０１１０】
このように本実施の形態では、ＰＣ２００で、ファイルサーバ３６００の共有ストレージ１２０から建造物３Ｄ画像または画像データをダウロードして表示形態を編集した後、ファイルサーバ３６００の共有ストレージ１２０にアップロードした場合、ファイルサーバ３６００側で、表示形態を編集された建造物３Ｄ画像または画像データを、編集前の元の建造物３Ｄ画像または画像データと別個に、かつ関連付けて管理するので、一度ユーザが表示形態を編集した建造物３Ｄ画像または画像データを再度用いる場合に、同じ表示形態での複数回にわたる表示を容易に実現することができる。
【０１１１】
（実施の形態３）
実施の形態３では、予めギャラリーにアクセス可能な他のユーザを許可しておき、許可されたユーザの自分のギャラリーへのアクセスに応じて、ギャラリーを示す建造物３Ｄ画像やギャラリーの中の画像データの表示形態を変更して表示するものである。
【０１１２】
実施の形態３にかかる画像管理システムのネットワーク構成は、実施の形態１と同様である。図４１は、実施の形態３のファイルサーバ４１００の機能的構成を示すブロック図である。
【０１１３】
ファイルサーバ４１００は、図４１に示すように、入力制御部１０１と、ＨＴＴＰ通信部１０２と、進行表示処理部１０３と、管理部１０４と、登録部４１０５と、ギャラリー表示処理部４１１０と、画像表示処理部４１３０と、共有ストレージ１２０とを主に備えている。
【０１１４】
ここで、入力制御部１０１、ＨＴＴＰ通信部１０２、進行表示処理部１０３、管理部１０４の機能および構成は実施の形態１と同様である。
【０１１５】
図４１に示すように、本実施の形態の共有ストレージ１２０には、複数のギャラリー画像と、複数の画像データと、ギャラリー管理テーブル３６２１と、画像管理テーブル３６２２の他、ユーザ管理データベース４１２３が保存されている。
【０１１６】
ユーザ管理データベース４１２３は、ファイルサーバ４１００の共有ストレージ１２０にアクセス可能なユーザを登録したデータベースであり、さらに、ユーザごとに、各ユーザのギャラリーにアクセスを許可する他のユーザを登録したものである。図４２は、実施の形態３のユーザ管理データベース４１２３のデータの例を示す説明図である。図４２に示すように、ユーザ管理データベース４１２３には、ユーザを一意に識別するためのユーザＩＤと、ユーザ名と、当該ユーザが自分のギャラリーへのアクセスを許可するユーザのユーザＩＤである許可ユーザＩＤとが対応付けられて登録されている。ここで、許可ユーザＩＤのユーザの自己のギャラリーへのアクセスには、画像データの閲覧の他、画像データの登録も含まれる。
【０１１７】
図４２の例では、ユーザＩＤ「Ａ０００２」であるユーザ「ＹＹＹ」のギャラリーには、ユーザＩＤ「Ａ０００１」であるユーザ「ＸＸＸ」のアクセスが許可されていることを示している。なお、図４２の例において、許可ユーザＩＤが未登録のユーザのギャラリーには自分しかアクセスできないことを意味する。
【０１１８】
図４１に戻り、本実施の形態の登録部４１０５は、画像データに対する許可ユーザＩＤのユーザによる投票の結果としての人気度を画像管理テーブル３６２２に登録する。具体的には、ユーザはＰＣ２００から自己のギャラリーの他、他のユーザで許可ユーザＩＤとして登録されているユーザのギャラリーに登録された画像データを表示することができるが、この際、当該ユーザが気に入った画像データに対してお気に入り等の指示を行うことにより、登録部４１０５により、画像管理テーブル３６２２において、指示された画像データのＩＤに対応して人気度がカウントアップされる。従って、許可ユーザＩＤとして登録されていない他のユーザのギャラリーの画像データを閲覧可能な場合でも、その画像データにお気に入りとして投票しても、人気度はカウントアップされないことになる。
【０１１９】
なお、許可ユーザＩＤのユーザ以外のユーザによる投票も有効にし、かつ、許可ユーザＩＤのユーザの投票による人気度のカウントアップの数を、許可ユーザＩＤのユーザ以外のユーザの投票による人気度のカウントアップの数より高くするように構成してもよい。
【０１２０】
ギャラリー表示処理部４１１０は、ファイルサーバ４１００にログオンしたユーザに対して、そのユーザが所有するギャラリーを、ＨＴＴＰ通信部１０２を介してＰＣ２００の表示画面に３次元描画表示する処理を行う。ギャラリー表示処理部４１１０は、表示形態決定部４１１１と、画像処理部１１２と、３Ｄ描画処理部１１３とを備えている。ここで、画像処理部１１２、３Ｄ描画処理部１１３の機能および構成は実施の形態１と同様である。
【０１２１】
表示形態決定部４１１１は、ギャラリー管理テーブル３６２１およびユーザ管理データベース４１２３を参照して、ギャラリーの建造物３Ｄ画像の表示形態を決定する。具体的には、表示形態決定部４１１１は、実施の形態１と同様に、ギャラリー管理テーブル３６２１を参照して、ユーザが共有ストレージ１２０上で所有するギャラリーに対応する建造物３Ｄ画像を、当該ギャラリーのギャラリー画像として決定する。
【０１２２】
また、表示形態決定部４１１１は、ギャラリーに登録されている自己の画像データの数と自己のギャラリーにアクセス可能な許可ユーザＩＤのユーザの画像データの登録数を、ユーザ管理データベース４１２３の許可ユーザＩＤのフィールドや画像データに対するアクセスコントロールリスト等を参照して求め、ギャラリーに対する自己および許可ユーザＩＤのユーザの画像データの登録数が多い程、建造物３Ｄ画像の表示サイズを大きいサイズとして決定する。なお、この他、表示形態決定部４１１１は、自己および許可ユーザＩＤのユーザの画像データの登録数が多くなるに従って、建造物が建築中から完成段階までの各段階の画像に割り当てるように決定してもよい。
【０１２３】
画像表示処理部４１３０は、ギャラリーの建造物内部で、ギャラリーに登録されている画像データの３次元描画表示する。画像表示処理部４１３０は、図４１に示すように、表示形態決定部４１３１と、画像処理部４１３２と、３Ｄ描画処理部１３３とを備えている。ここで、３Ｄ描画処理部１３３の機能および構成は実施の形態１と同様である。
【０１２４】
表示形態決定部４１３１は、画像管理テーブル３６２２およびユーザ管理データベース４１２３を参照して、画像データの表示形態を決定する。具体的には、表示形態決定部４１３１は、ユーザ管理データベース４１２３の許可ユーザＩＤおよび画像管理テーブル３６２２に登録されている表示対象の画像データの表示属性を参照して、自己または許可ユーザＩＤのユーザが登録した他の画像データと組み合わせて立体表示を行うか、フレームを付して表示するか、壁面を付して表示するかを決定する。
【０１２５】
また、表示形態決定部４１３１は、表示属性が立体表示の場合には、表示属性の立体表示で指定された他の２枚のＩＤの画像データの取得を行う。また、表示形態決定部４１３１は、画像管理テーブル３６２２の人気度を参照して人気度が高い程、大きな値の拡大率を決定する。ここで、人気度は、上述したように、許可ユーザＩＤのユーザから投票された場合のみカウントアップされて登録されている。
【０１２６】
画像処理部４１３２は、表示形態が決定された画像データに対する画像処理を行う。具体的には、画像処理部４１３２は、表示属性により指定されたフレームあるいは決定されたフレームを画像データの周囲に付したり、表示属性により指定された壁面あるいは決定された壁面を画像データの背景とする画像処理を行うとともに、許可ユーザＩＤのユーザの画像データに対しては、当該許可ユーザに対して予め定められたフレームを付したり、当該許可ユーザに対して予め定められた壁面を背景とする画像処理を行う。
【０１２７】
また、画像処理部４１３２は、実施の形態１と同様に、表示形態決定部４１３１で決定された人気度に応じた拡大率で画像データの拡大縮小処理を行う。
【０１２８】
次に、以上のように構成された本実施の形態のファイルサーバ４１００によるギャラリー表示処理について説明する。なお、情報表示の全体処理については実施の形態１と同様に行われる。図４３は、実施の形態３のギャラリー表示処理の手順を示すフローチャートである。表示形態決定部４１１１は、ログオンしたユーザの全てのギャラリー画像、すなわち全ての建造物３Ｄ画像を、ギャラリー管理テーブル３６２１を参照して、共有ストレージ１２０から取得する（ステップＳ１３１）。そして、表示形態決定部４１１１は、ユーザ管理データベース４１２３のログオンしたユーザのレコードの許可ユーザＩＤフィールドを参照し（ステップＳ１３２）、ログオンしたユーザのギャラリーに対する許可ユーザＩＤを取得する。
【０１２９】
そして、表示形態決定部４１１１は、ギャラリーのフォルダに登録されている画像データのアクセスコントロールリストを参照して、ログオンしたユーザと取得した許可ユーザＩＤのユーザ（以下、「許可ユーザ」）の画像データの登録数をカウントする（ステップＳ１３３）。
【０１３０】
そして、表示形態決定部４１１１は、登録数に応じた建造物３Ｄ画像の表示サイズを決定する（ステップＳ１３４）。これ以降のステップＳ１３５からＳ１３７までの処理は実施の形態１と同様に行われる。これにより、自己と、自己のギャラリーへのアクセスが許可された許可ユーザが登録した画像データの数が多ければ多いほど、建造物３Ｄ画像が大きなサイズでＰＣ２００に表示されることになる。
【０１３１】
次に、本実施の形態の画像表示処理について説明する。図４４および図４５は、実施の形態３の画像表示処理の手順を示すフローチャートである。まず、表示形態決定部４１３１は、実施の形態１と同様に、画像管理テーブル３６２２から、進入した部屋に相当するサブフォルダに登録された画像データの表示属性を取得する（ステップＳ１５１）。
【０１３２】
そして、表示形態決定部４１３１は、取得した表示属性が立体表示であるか否かを判断する（ステップＳ１５２）。立体表示であれば、立体表示の旨とともに指定された２つのＩＤの画像データを共有ストレージ１２０から取得する（ステップＳ１５３）。
次に、表示形態決定部４１３１は、３つの画像データのうち許可ユーザが登録した画像データがあるか否かを、画像データのアクセスコントロールリストを参照して判断する（ステップＳ１５４）。
【０１３３】
そして、許可ユーザが登録した画像データがある場合には（ステップＳ１５４：Ｙｅｓ）、表示形態決定部４１３１は、許可ユーザに応じて３つの画像データの立体的配置を決定する（ステップＳ１５５）。このような配置としては種種考えられるが、例えば、許可ユーザの画像データを中央に配置したり、さらに中央に配置した上で表示サイズを他の２つの画像データよりも大きくする等が考えられる。ただし、許可ユーザに応じて３つの画像データの立体的配置についてはこれに限定されるものではない。
【０１３４】
一方、ステップＳ１５４において、許可ユーザが登録した画像データがない場合には（ステップＳ１５４：Ｎｏ）、実施の形態１と同様に、３枚の画像データのうちユーザに指定された１枚の画像データを中心位置に配置し、当該画像データと時間的に前後の２枚の画像データを左右に表示するように配置決定する（ステップＳ１５６）。
【０１３５】
次に、表示形態決定部４１３１は、画像データの内容から画像データの明度を算出する（ステップＳ１５７）。そして、表示形態決定部４１３１は、表示属性に壁面の指定があるか否かを判断する（ステップＳ１５８）。そして、壁面の指定がある場合には（ステップＳ１５８：Ｙｅｓ）、さらに表示形態決定部４１３１は、表示属性に壁面自動が設定されているか否かを判断する（ステップＳ１５９）。そして、表示属性に壁面自動が設定されていない場合（ステップＳ１５９：Ｎｏ）、すなわち壁面画像の指定がある場合には、表示属性で設定された壁面画像を共有ストレージ１２０から選択する（ステップＳ１６３）。
【０１３６】
一方、ステップＳ１５９において、表示属性に壁面自動が設定されている場合（ステップＳ１５９：Ｙｅｓ）、表示形態決定部４１３１は、さらに、表示対象の画像データが許可ユーザにより登録された画像データであるか否かをアクセスコントロールリストを参照して判断する（ステップＳ１６０）。
【０１３７】
そして、表示対象の画像データが許可ユーザにより登録された画像データである場合には（ステップＳ１６０：Ｙｅｓ）、許可ユーザに応じた壁面画像、すなわち、許可ユーザに対して予め設定された壁面画像を共有ストレージ１２０から選択する（ステップＳ１６１）。
【０１３８】
一方、表示対象の画像データが許可ユーザにより登録された画像データでない場合には（ステップＳ１６０：Ｎｏ）、実施の形態１と同様に、ステップＳ１５７で算出した明度に応じた壁面画像を共有ストレージ１２０から選択する（ステップＳ１６２）。
なお、ステップＳ１５８において、表示属性に壁面の指定がない場合には（ステップＳ１５８：Ｎｏ）、ステップＳ１５９からＳ１６３までの処理は行われない。
【０１３９】
次に、表示形態決定部４１３１は、表示属性にフレームの指定があるか否かを判断する（ステップＳ１６４）。そして、フレームの指定がある場合には（ステップＳ１６４：Ｙｅｓ）、さらに表示形態決定部４１３１は、表示属性にフレーム自動が設定されているか否かを判断する（ステップＳ１６５）。表示属性にフレーム自動が設定されていない場合（ステップＳ１６５：Ｎｏ）、すなわちフレーム画像の指定がある場合には、表示形態決定部４１３１は、実施の形態１と同様に、表示属性で設定されたフレーム画像を共有ストレージ１２０から選択する（ステップＳ１６９）。
【０１４０】
一方、ステップＳ１６５で表示属性にフレーム自動が設定されている場合には（ステップＳ１６５：Ｙｅｓ）、表示形態決定部４１３１は、さらに、表示対象の画像データが許可ユーザにより登録された画像データであるか否かをアクセスコントロールリストを参照して判断する（ステップＳ１６６）。
【０１４１】
そして、表示対象の画像データが許可ユーザにより登録された画像データである場合には（ステップＳ１６６：Ｙｅｓ）、許可ユーザに応じたフレーム画像、すなわち、許可ユーザに対して予め設定されたフレーム画像を共有ストレージ１２０から選択する（ステップＳ１６７）。
【０１４２】
一方、表示対象の画像データが許可ユーザにより登録された画像データでない場合には（ステップＳ１６６：Ｎｏ）、実施の形態１と同様に、ステップＳ１５７で算出した明度に応じたフレーム画像を共有ストレージ１２０から選択する（ステップＳ１６８）。
【０１４３】
なお、ステップＳ１６４において、表示属性にフレームの指定がない場合には（ステップＳ１６４：Ｎｏ）、ステップＳ１６５からＳ１６９までの処理は行われない。
【０１４４】
これ以降のステップＳ１７１からＳ１７５までの処理は、実施の形態１のステップＳ７１からＳ７５までの処理と同様に行われる。ここで、ステップＳ１７１で取得する人気度は、本実施の形態の場合、許可ユーザが投票した場合のみカウントアップされているので、許可ユーザの投票に応じたサイズで画像データが拡大して表示されることになる。
【０１４５】
このように本実施の形態では、予めギャラリーにアクセス可能な他のユーザを許可ユーザとして設定しておき、許可ユーザの自分のギャラリーへのアクセスに応じて、ギャラリーを示す建造物３Ｄ画像やギャラリーの中の画像データの表示形態を変更して表示しているので、自己だけでなく、他の許可をしたユーザの自己のギャラリーへのアクセスを表示形態に反映させることができ、共有ストレージ１２０のの利用に対する興味をより増大させることができる。
【０１４６】
実施の形態１〜３のファイルサーバ１００，３６００，４１００は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１４７】
実施の形態１〜３のファイルサーバ１００，３６００，４１００で実行される情報表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１４８】
また、実施の形態１〜３のファイルサーバ１００，３６００，４１００で実行される情報表示プログラムを、インターネット等のネットワークに接続されたコンピュータ上に格納し、ネットワーク経由でダウンロードさせることにより提供するように構成しても良い。また、実施の形態１〜３のファイルサーバ１００，３６００，４１００で実行される情報表示プログラムをインターネット等のネットワーク経由で提供または配布するように構成しても良い。
【０１４９】
また、実施の形態１〜３のファイルサーバ１００，３６００，４１００で実行される情報表示プログラムを、ＲＯＭ等に予め組み込んで提供するように構成してもよい。
【０１５０】
実施の形態１〜３のファイルサーバ１００，３６００，４１００で実行される情報表示プログラムは、上述した各部（入力制御部、ＨＴＴＰ通信部、進行表示処理部、管理部、ギャラリー表示処理部、画像表示処理部、登録部）を含むモジュール構成となっており、実際のハードウェアとしてはＣＰＵ（プロセッサ）が上記記憶媒体から情報表示プログラムを読み出して実行することにより上記各部が主記憶装置上にロードされ、入力制御部、ＨＴＴＰ通信部、進行表示処理部、管理部、ギャラリー表示処理部、画像表示処理部、登録部が主記憶装置上に生成されるようになっている。
【０１５１】
また、実施の形態１〜３のＰＣ２００は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１５２】
実施の形態１〜３のＰＣ２００で実行される情報表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１５３】
また、実施の形態１〜３のＰＣ２００で実行される情報表示プログラムを、インターネット等のネットワークに接続されたコンピュータ上に格納し、ネットワーク経由でダウンロードさせることにより提供するように構成しても良い。また、実施の形態１〜３のＰＣ２００で実行される情報表示プログラムをインターネット等のネットワーク経由で提供または配布するように構成しても良い。
【０１５４】
また、実施の形態１〜３のＰＣ２００で実行される情報表示プログラムを、ＲＯＭ等に予め組み込んで提供するように構成してもよい。
【０１５５】
実施の形態１〜３のＰＣ２００で実行される情報表示プログラムは、上述した各部（入力制御部、表示制御部、３Ｄ描画処理部、ＩＤ生成部、通信部）を含むモジュール構成となっており、実際のハードウェアとしてはＣＰＵ（プロセッサ）が上記記憶媒体から情報表示プログラムを読み出して実行することにより上記各部が主記憶装置上にロードされ、入力制御部、表示制御部、３Ｄ描画処理部、ＩＤ生成部、通信部が主記憶装置上に生成されるようになっている。
【符号の説明】
【０１５６】
１００，３６００，４１００  ファイルサーバ
１０１  入力制御部
１０２，３６０２  ＨＴＴＰ通信部
１０３  進行表示処理部
１０４，３６０４  管理部
１０５  登録部
１１０，４１１０  ギャラリー表示処理部
１１１，４１１１  表示形態決定部
１１２  画像処理部
１１３  ３Ｄ描画処理部
１２０  共有ストレージ
１２１，３６２１  ギャラリー管理テーブル
１２２，３６２２  画像管理テーブル
１３０，４１３０  画像表示処理部
１３１，４１３１  表示形態決定部
１３２，４１３２  画像処理部
１３３  ３Ｄ描画処理部
１９０１  ルーバー
３５０１  音声オブジェクト
３９０１  表示装置
３９０２  入力装置
３９０３  表示制御部
３９０４  ３Ｄ描画処理部
３９０５  ＩＤ生成部
３９０６  通信部
３９０７  入力制御部
３９１０  ＨＤＤ
４１２３  ユーザ管理データベース
【先行技術文献】
【特許文献】
【０１５７】
【特許文献１】特開２０００−３３１１８９号公報
【特許文献２】特開２００３−３０４６９号公報
【図１】
2010282328.tif 000003
【図２】
2010282328.tif 000004
【図３】
2010282328.tif 000005
【図４】
2010282328.tif 000006
【図５】
2010282328.tif 000007
【図６】
2010282328.tif 000008
【図７】
2010282328.tif 000009
【図８】
2010282328.tif 000010
【図９】
2010282328.tif 000011
【図１０】
2010282328.tif 000012
【図１１】
2010282328.tif 000013
【図１２】
2010282328.tif 000014
【図１３】
2010282328.tif 000015
【図１４】
2010282328.tif 000016
【図１５】
2010282328.tif 000017
【図１６】
2010282328.tif 000018
【図１７】
2010282328.tif 000019
【図１８】
2010282328.tif 000020
【図１９】
2010282328.tif 000021
【図２０】
2010282328.tif 000022
【図２１】
2010282328.tif 000023
【図２２】
2010282328.tif 000024
【図２３】
2010282328.tif 000025
【図２４】
2010282328.tif 000026
【図２５】
2010282328.tif 000027
【図２６】
2010282328.tif 000028
【図２７】
2010282328.tif 000029
【図２８】
2010282328.tif 000030
【図２９】
2010282328.tif 000031
【図３０】
2010282328.tif 000032
【図３１】
2010282328.tif 000033
【図３２】
2010282328.tif 000034
【図３３】
2010282328.tif 000035
【図３４】
2010282328.tif 000036
【図３５】
2010282328.tif 000037
【図３６】
2010282328.tif 000038
【図３７】
2010282328.tif 000039
【図３８】
2010282328.tif 000040
【図３９】
2010282328.tif 000041
【図４０】
2010282328.tif 000042
【図４１】
2010282328.tif 000043
【図４２】
2010282328.tif 000044
【図４３】
2010282328.tif 000045
【図４４】
2010282328.tif 000046
【図４５】
2010282328.tif 000047